(57)【要約】【課題】複数の円筒ころと保持器とを外輪に対して容易に組み付け、又は、取り外すことができ、複列円筒ころ軸受のメンテナンスの作業性を向上することができる複列円筒ころ軸受用着脱治具及び該軸受の組立方法並びに取り外し方法を提供する。【解決手段】複列円筒ころ軸受用着脱治具５０は、リング状の治具本体５２と、外輪１のつば部１ａの内径よりも小径、且つ、保持器４の外径よりも大径で円弧状に形成されて、治具本体５２に固定され、内径側に位置する円筒ころ３及び保持器４を保持するころ保持部材５５と、を備える。【選択図】図３
2015152025.tif 000002
【特許請求の範囲】
【請求項１】
内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を前記外輪に対して着脱するための複列円筒ころ軸受用着脱治具であって、
リング状の治具本体と、
前記外輪のつば部の内径よりも小径、且つ、前記保持器の外径よりも大径で円弧状に形成されて、前記治具本体に固定され、内径側に位置する前記円筒ころ及び前記保持器を保持するころ保持部材と、
を備えることを特徴とする複列円筒ころ軸受用着脱治具。
【請求項２】
前記ころ保持部材は、略半円に形成されることを特徴とする請求項１に記載の複列円筒ころ軸受用着脱治具。
【請求項３】
前記ころ保持部材よりも内径側で、前記治具本体に回動可能に取り付けられ、前記ころ保持部材に保持された前記円筒ころの端面、又は前記保持器の端面を支持する支持部材をさらに備えることを特徴とする請求項１又は２に記載の複列円筒ころ軸受用着脱治具。
【請求項４】
内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を、請求項１又は２に記載の着脱治具を用いて、前記外輪に対して組み付ける複列円筒ころ軸受の組立方法であって、
前記着脱治具を、その中心軸が水平となるように配置した状態で、該中心軸を通る水平面よりも下方に位置する前記ころ保持部材によって、前記円筒ころ及び前記保持器を保持する工程と、
前記外輪を、その中心軸が水平となるように配置した状態で、前記着脱治具に保持された前記円筒ころ及び前記保持器を、前記外輪内の所定の位置まで挿入する工程と、
前記ころ保持部材による前記円筒ころ及び保持器の保持が解放されるように、前記円筒ころ及び前記保持器を保持する前記着脱治具を前記外輪と共に略１８０°回転する工程と、
前記着脱治具を前記外輪内から抜き取り、前記円筒ころ及び保持器を前記外輪内に組み付ける工程と、
を含むことを特徴とする複列円筒ころ軸受の組立方法。
【請求項５】
前記着脱治具は、
前記ころ保持部材よりも内径側で、前記治具本体に回動可能に取り付けられ、前記ころ保持部材に保持された前記円筒ころの端面、又は前記保持器の端面を支持する支持部材をさらに備え、
前記保持工程において、前記支持部材は、前記ころ保持部材と当接する前記円筒ころの端面、又は前記保持器の端面を支持し、
前記回転工程において、前記支持部材は、前記円筒ころの端面又は前記保持器の端面の支持を解放することを特徴とする請求項４に記載の複列円筒ころ軸受の組立方法。
【請求項６】
前記複列円筒ころ軸受は、前記外輪の軸方向一端部に取り付けられ、ラビリンスシール部材を有する第１のシールケースと、前記外輪の軸方向他端部に取り付けられて、オイルシールを有する第２のシールケースと、をさらに備え、
前記挿入、回転及び組付工程は、前記第２のシールケースが取り外され、前記第１のシールケースが取り付けられた状態で、前記軸方向一端部側の前記円筒ころ及び保持器に対して行われることを特徴とする請求項４又は５に記載の複列円筒ころ軸受の組立方法。
【請求項７】
内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を、請求項１又は２に記載の着脱治具を用いて、前記外輪から取り外す複列円筒ころ軸受の取り外し方法であって、
前記内輪が取り外され、前記円筒ころ及び前記保持器が配設された前記外輪を、その中心軸が水平となるように配置した状態で、前記着脱治具を、前記ころ保持部材が該中心軸を通る水平面よりも上方で前記外輪の所定の位置に位置するように、前記外輪の内部に挿入する工程と、
前記着脱治具を、前記円筒ころ、前記保持器、及び前記外輪と共に略１８０°回転し、該中心軸を通る水平面よりも下方に位置する前記ころ保持部材によって、前記円筒ころ及び前記保持器を保持する工程と、
前記ころ保持部材によって前記円筒ころ及び前記保持器を保持したまま前記着脱治具を前記外輪内から抜き出す工程と、
を含むことを特徴とする複列円筒ころ軸受の取り外し方法。
【請求項８】
前記着脱治具は、
前記ころ保持部材よりも内径側で、前記治具本体に回動可能に取り付けられ、前記ころ保持部材に保持された前記円筒ころの端面、又は前記保持器の端面を支持する支持部材をさらに備え、
前記回転工程において、前記支持部材は、前記ころ保持部材と当接する前記円筒ころの端面、又は前記保持器の端面を支持することを特徴とする請求項７に記載の複列円筒ころ軸受の取り外し方法。
【請求項９】
前記複列円筒ころ軸受は、前記外輪の軸方向一端部に取り付けられ、ラビリンスシール部材を有する第１のシールケースと、前記外輪の軸方向他端部に取り付けられて、オイルシールを有する第２のシールケースと、をさらに備え、
前記挿入、回転及び抜出工程は、前記第２のシールケースが取り外され、前記第１のシールケースが取り付けられた状態で、前記軸方向一端部側の前記円筒ころ及び保持器に対して行われることを特徴とする請求項７又は８に記載の複列円筒ころ軸受の取り外し方法。
【発明の詳細な説明】
【技術分野】
【０００１】
本発明は、複列円筒ころ軸受用着脱治具及び該軸受の組立方法並びに取り外し方法に関し、より詳細には、円筒ころ及び保持器を外輪に組み付ける又は取り外す際に用いる複列円筒ころ軸受用着脱治具、及び該治具を用いて円筒ころ及び保持器を外輪に組み付ける組立方法、並びに、該治具を用いて円筒ころ及び保持器を外輪から取り外す取り外し方法に関する。
【背景技術】
【０００２】
従来、両端に密封構造を備えた複列円筒ころ軸受として、例えば、図８に示すような鉄道車両用密封円筒ころ軸受が知られている（特許文献１参照）。この鉄道車両用密封円筒ころ軸受は、内周面の軸方向中央につば部１ａを有する外輪１と、つば部１ａに対応する位置に案内輪１４が外嵌された内輪２との間に複列の円筒ころ３が、それぞれ保持器４を介して周方向に転動自在に配設された複列円筒ころ軸受５である。
【０００３】
この複列円筒ころ軸受５は、車軸６の先端に嵌合した油切り７と車軸６の肩部６ａに嵌合した後蓋８との間に配置され、車軸６の先端に螺着した前蓋９を締め付けると、内輪２が油切り７及び後蓋８で軸方向の両端側から挟持されて車軸６に固定される。
【０００４】
前蓋９の先端側には、凸部１０を有する小蓋１１が、凸部１０を車軸６の先端に設けた凹部１２と係合させた状態で車軸６に装着されている。この小蓋１１と前蓋９とをボルト１３を介して連結して一体化することにより、前蓋９の緩み止めがなされる。
【０００５】
また、外輪１の軸方向一端部（左端部）には非接触式の密封装置３０が圧入等により装着され、外輪１の軸方向他端部（右端部）には接触式の密封装置２０が圧入等により装着されている。左端側の密封装置３０は、油切り７との間でラビリンスシール構造を形成し、右端側の密封装置２０は、シールケース２１とオイルシール２２とを有して、後蓋８に接触し、軸受５内への異物の侵入や軸受５内からの潤滑剤の漏出を防止する。
【０００６】
このような鉄道車両用密封円筒ころ軸受の定期的なメンテナンス時には、車軸６から各部品毎に取り外して分解し点検する必要がある。しかし、外輪１の内周面の軸方向略中央にはつば部１ａがあるので、分解の際、内輪２を取り外した後に、外輪１の軸方向の両端に装着された密封装置２０、３０を左右両方とも取り外さなければ両方の保持器４と円筒ころ３との組立体を外輪１から取り出すことができない。このため、定期的なメンテナンスの際には、両側の密封装置２０、３０を取り外してメンテナンスを行うことが一般的であった。このため、非接触であるラビリンスシールは、取り外し時の変形によって再使用ができなくなり、部品交換を余儀なくされることになる。
【０００７】
そこで、特許文献１に記載の密封円筒ころ軸受では、図９に示すように、保持器４のポケット部１５の周方向に互いに対向する内側面４ａが、保持器４の外径側では円筒ころ３の外径形状に略沿った円弧状を有する一方、保持器４の内径側に向かうにつれて次第に各内側面４ａ間の間隔が広くなるように形成され、内径側の先端部にころ外れ防止用の引っ掛かり部４ｂが設けられている。これにより、円筒ころ３は、ポケット部１５内で径方向に移動可能な構造となっており、一方の密封装置２０を取り外すだけで、両方の列の保持器４と円筒ころ３との組立体を外輪１から取り出せるようにしている。
【先行技術文献】
【特許文献】
【０００８】
【特許文献１】特開２００５−３５１３６７号公報
【発明の概要】
【発明が解決しようとする課題】
【０００９】
ところで、特許文献１では、保持器の形状変更によって、両方の密封装置を取り外さなくとも保持器４及び円筒ころ３を外輪１から取り外すことは記載されているが、具体的な取り外し方法について開示されておらず、また、保持器４及び円筒ころ３を組み付けることについても具体的に記載されていない。
【００１０】
本発明は、上述した課題に鑑みてなされたものであり、その目的は、複数の円筒ころと保持器とを外輪に対して容易に組み付け、又は、取り外すことができ、複列円筒ころ軸受のメンテナンスの作業性を向上することができる複列円筒ころ軸受用着脱治具及び該軸受の組立方法並びに取り外し方法を提供することにある。
【課題を解決するための手段】
【００１１】
本発明の上記目的は、以下の構成によって達成される。
（１）  内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を前記外輪に対して着脱するための複列円筒ころ軸受用着脱治具であって、
リング状の治具本体と、
前記外輪のつば部の内径よりも小径、且つ、前記保持器の外径よりも大径で円弧状に形成されて、前記治具本体に固定され、内径側に位置する前記円筒ころ及び前記保持器を保持するころ保持部材と、
を備えることを特徴とする複列円筒ころ軸受用着脱治具。
（２）  前記ころ保持部材は、略半円に形成されることを特徴とする（１）に記載の複列円筒ころ軸受用着脱治具。
（３）  前記ころ保持部材よりも内径側で、前記治具本体に回動可能に取り付けられ、前記ころ保持部材に保持された前記円筒ころの端面、又は前記保持器の端面を支持する支持部材をさらに備えることを特徴とする（１）又は（２）に記載の複列円筒ころ軸受用着脱治具。
（４）  内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を、（１）又は（２）に記載の着脱治具を用いて、前記外輪に対して組み付ける複列円筒ころ軸受の組立方法であって、
前記着脱治具を、その中心軸が水平となるように配置した状態で、該中心軸を通る水平面よりも下方に位置する前記ころ保持部材によって、前記円筒ころ及び前記保持器を保持する工程と、
前記外輪を、その中心軸が水平となるように配置した状態で、前記着脱治具に保持された前記円筒ころ及び前記保持器を、前記外輪内の所定の位置まで挿入する工程と、
前記ころ保持部材による前記円筒ころ及び保持器の保持が解放されるように、前記円筒ころ及び前記保持器を保持する前記着脱治具を前記外輪と共に略１８０°回転する工程と、
前記着脱治具を前記外輪内から抜き取り、前記円筒ころ及び保持器を前記外輪内に組み付ける工程と、
を含むことを特徴とする複列円筒ころ軸受の組立方法。
（５）  前記着脱治具は、
前記ころ保持部材よりも内径側で、前記治具本体に回動可能に取り付けられ、前記ころ保持部材に保持された前記円筒ころの端面、又は前記保持器の端面を支持する支持部材をさらに備え、
前記保持工程において、前記支持部材は、前記ころ保持部材と当接する前記円筒ころの端面、又は前記保持器の端面を支持し、
前記回転工程において、前記支持部材は、前記円筒ころの端面又は前記保持器の端面の支持を解放することを特徴とする（４）に記載の複列円筒ころ軸受の組立方法。
（６）  前記複列円筒ころ軸受は、前記外輪の軸方向一端部に取り付けられ、ラビリンスシール部材を有する第１のシールケースと、前記外輪の軸方向他端部に取り付けられて、オイルシールを有する第２のシールケースと、をさらに備え、
前記挿入、回転及び組付工程は、前記第２のシールケースが取り外され、前記第１のシールケースが取り付けられた状態で、前記軸方向一端部側の前記円筒ころ及び保持器に対して行われることを特徴とする（４）又は（５）に記載の複列円筒ころ軸受の組立方法。
（７）  内輪とつば部を有する外輪との間に複列の円筒ころがそれぞれ保持器を介して円周方向に転動自在に配設されると共に、前記円筒ころは、前記外輪のつば部の内径よりも複数の前記円筒ころによって構成される外接円径が小さくなるように、前記保持器のポケット内で径方向に移動可能としつつ、前記ポケットから脱落するのが防止される複列円筒ころ軸受の前記円筒ころ及び前記保持器を、（１）又は（２）に記載の着脱治具を用いて、前記外輪から取り外す複列円筒ころ軸受の取り外し方法であって、
前記内輪が取り外され、前記円筒ころ及び前記保持器が配設された前記外輪を、その中心軸が水平となるように配置した状態で、前記着脱治具を、前記ころ保持部材が該中心軸を通る水平面よりも上方で前記外輪の所定の位置に位置するように、前記外輪の内部に挿入する工程と、
前記着脱治具を、前記円筒ころ、前記保持器、及び前記外輪と共に略１８０°回転し、該中心軸を通る水平面よりも下方に位置する前記ころ保持部材によって、前記円筒ころ及び前記保持器を保持する工程と、
前記ころ保持部材によって前記円筒ころ及び前記保持器を保持したまま前記着脱治具を前記外輪内から抜き出す工程と、
を含むことを特徴とする複列円筒ころ軸受の取り外し方法。
（８）  前記着脱治具は、
前記ころ保持部材よりも内径側で、前記治具本体に回動可能に取り付けられ、前記ころ保持部材に保持された前記円筒ころの端面、又は前記保持器の端面を支持する支持部材をさらに備え、
前記回転工程において、前記支持部材は、前記ころ保持部材と当接する前記円筒ころの端面、又は前記保持器の端面を支持することを特徴とする（７）に記載の複列円筒ころ軸受の取り外し方法。
（９）  前記複列円筒ころ軸受は、前記外輪の軸方向一端部に取り付けられ、ラビリンスシール部材を有する第１のシールケースと、前記外輪の軸方向他端部に取り付けられて、オイルシールを有する第２のシールケースと、をさらに備え、
前記挿入、回転及び抜出工程は、前記第２のシールケースが取り外され、前記第１のシールケースが取り付けられた状態で、前記軸方向一端部側の前記円筒ころ及び保持器に対して行われることを特徴とする（７）又は（８）に記載の複列円筒ころ軸受の取り外し方法。
【発明の効果】
【００１２】
本発明の複列円筒ころ軸受用着脱治具によれば、リング状の治具本体と、外輪のつば部の内径よりも小径、且つ、保持器の外径よりも大径で円弧状に形成されて、治具本体に固定され、内径側に位置する円筒ころ及び保持器を保持するころ保持部材と、を備える。これにより、複数の円筒ころと保持器とを一緒に外輪に容易に組み付けることができるとともに、複数の円筒ころと保持器とを一緒に外輪から容易に取り外すことができ、複列円筒ころ軸受のメンテナンスの作業性を向上することができる。
特に、ラビリンスシール部材を有する第１のシールケースと、オイルシールを有する第２のシールケースと、を備える複列円筒ころ軸受において、第１のシールケースが取り付けられた状態で、複数の円筒ころと保持器との組み付け、取り外しを行うことができるようになり、ラビリンスシール部材を有する第１のシールケースの再利用が可能となり、部品コストを削減することができる。
【００１３】
また、上記着脱治具を用いた複列円筒ころ軸受の組立方法によれば、着脱治具を、その中心軸が水平となるように配置した状態で、該中心軸を通る水平面よりも下方に位置するころ保持部材によって、円筒ころ及び保持器を保持する工程と、外輪を、その中心軸が水平となるように配置した状態で、着脱治具に保持された円筒ころ及び保持器を、つば部を越えて外輪内の所定の位置まで挿入する工程と、ころ保持部材による円筒ころ及び保持器の保持が解放されるように、円筒ころ及び保持器を保持する着脱治具を外輪と共に略１８０°回転する工程と、着脱治具を外輪内から抜き取り、円筒ころ及び保持器を外輪内に組み付ける工程と、を含む。これにより、複数の円筒ころと保持器とを一緒に外輪に容易に組み付けることができ、複列円筒ころ軸受のメンテナンスの作業性を向上することができる。
特に、ラビリンスシール部材を有する第１のシールケースと、オイルシールを有する第２のシールケースと、を備える複列円筒ころ軸受において、第１のシールケースが取り付けられた状態で、複数の円筒ころと保持器との組み付けを行うことができるようになり、ラビリンスシール部材を有する第１のシールケースの再利用が可能となり、部品コストを削減することができる。
【００１４】
また、上記着脱治具を用いた複列円筒ころ軸受の取り外し方法によれば、内輪が取り外され、円筒ころ及び保持器が配設された外輪を、その中心軸が水平となるように配置した状態で、着脱治具を、ころ保持部材が該中心軸を通る水平面よりも上方で外輪の所定の位置に位置するように、外輪の内部に挿入する工程と、着脱治具を、円筒ころ、保持器、及び外輪と共に略１８０°回転し、該中心軸を通る水平面よりも下方に位置するころ保持部材によって、円筒ころ及び保持器を保持する工程と、ころ保持部材によって円筒ころ及び保持器を保持したまま着脱治具を外輪内から抜き出す工程と、を含む。これにより、複数の円筒ころと保持器とを一緒に外輪から容易に取り外すことができ、複列円筒ころ軸受のメンテナンスの作業性を向上することができる。
特に、ラビリンスシール部材を有する第１のシールケースと、オイルシールを有する第２のシールケースと、を備える複列円筒ころ軸受において、第１のシールケースが取り付けられた状態で、複数の円筒ころと保持器との取り外しを行うことができるようになり、ラビリンスシール部材を有する第１のシールケースの再利用が可能となり、部品コストを削減することができる。
【図面の簡単な説明】
【００１５】
【図１】本発明に係る複列円筒ころ軸受用着脱治具が適用される鉄道車両用密封円筒ころ軸受の一例を示す縦断面図である。
【図２】図１のＩＩ−ＩＩ線に沿った断面図である。
【図３】本発明に係る複列円筒ころ軸受用着脱治具の概略断面図である。
【図４】円筒ころ及び保持器を外輪から取り外す複列円筒ころ軸受の分解・取り外し方法を示す上部半断面図である。
【図５】同じく円筒ころ及び保持器を外輪から取り外す複列円筒ころ軸受の分解・取り外し方法を示す下部半断面図である。
【図６】同じく円筒ころ及び保持器を外輪から取り外す複列円筒ころ軸受の分解・取り外し方法を示す下部半断面図である。
【図７】着脱治具のころ保持部材の変形例を示す部分正面図である。
【図８】従来の複列円筒ころ軸受を示す断面図である。
【図９】図８のＩＸ−ＩＸ線に沿った断面図である。
【発明を実施するための形態】
【００１６】
以下、本発明の一実施形態に係る複列円筒ころ軸受用着脱治具及び該軸受の組立並びに取り外し方法について図面を参照しながら説明する。なお、本実施形態では、既に図８で説明した従来の鉄道車両用密封型複列円筒ころ軸受と実質的に重複する又は相当する部材などについては、同一または相当符号を付し、説明を省略あるいは簡略化する。
【００１７】
図１に示すように、本実施形態の鉄道車両に適用される複列円筒ころ軸受５は、車軸６の端部に嵌合したフリンガ（油切り）７と車軸６の肩部６ａに嵌合した後蓋８との間に配置される。
【００１８】
複列円筒ころ軸受５は、内周面の軸方向略中央につば部１ａが設けられ、つば部１ａの軸方向両側に一対の外輪軌道面１ｂを有する外輪１と、外周面において一対の外輪軌道面１ｂと対向する位置に一対の内輪軌道面２ａを有する内輪２と、一対の外輪軌道面１ｂと一対の内輪軌道面２ａとの間に転動自在に配置される複列の円筒ころ３と、複列の円筒ころ３を所定の間隔にそれぞれ保持する保持器４と、を備える。また、内輪２の外周面のつば部１ａに対応する位置には、案内輪１４が外嵌されている。
【００１９】
さらに、複列円筒ころ軸受５には、内外輪１、２間の隙間を覆うように密封装置２０、３０が設けられている。外輪１の軸方向一端部（図中、左端部）に設けられた密封装置３０は、非接触式であり、外輪１の左端部内周面に取り付けられた第１のシールケース３１と、第１のシールケース３１に装着されるラビリンスシール部材３２と、を備える。また、外輪１の軸方向他端部（図中、右端部）に設けられた密封装置２０は、接触式であり、外輪１の右端部内周面に取り付けられた第２のシールケース２１と、第２のシールケース２１の装着されたオイルシール２２と、を備える。なお、密封装置３０は、図８に示すような単一のシールケースによって構成されてもよい。
【００２０】
保持器４は、図２に示すように、複数の円筒ころ３を周方向に略等間隔に保持するポケット部１５を有している。ポケット部１５の周方向の互いに対向する内側面４ａは、保持器４の外径側では円筒ころ３の外径形状に略沿った円弧状を有しているが、保持器４の内径側に向かうにつれて次第に各内側面４ａ間の間隔が広くなるように形成され、内径側の先端部にころ外れ防止用の引っ掛かり部４ｂが設けられている。これにより、円筒ころ３は、ポケット部１５内で径方向に移動可能で、且つ、ポケット部１５からの脱落が防止される構造となっており、すべての円筒ころ３を径方向内側に移動させた場合には、円筒ころ３の外径円径が外輪１のつば部１ａの内径よりも小さくなることを許容する。
【００２１】
次に、複列円筒ころ軸受用着脱治具５０について図３を参照して説明する。複列円筒ころ軸受用着脱治具５０は、リング状の治具本体５２と、治具本体５２の外周面に固定された半円形状のころ保持部材５５と、ころ保持部材５５の内径側で、治具本体５２に回動可能に取り付けられた支持部材５８と、を備える。
【００２２】
治具本体５２は、外周面にころ保持部材５５が取り付けられた状態で、つば部１ａ内を挿通可能な取付部５３と、該取付部５３の外径よりも大径、且つ、外輪１の外輪軌道面１ｂよりも小径の大径部５４と、を備える。
【００２３】
また、治具本体５２の取付部５３に取り付けられたころ保持部材５５は、治具本体５２から軸方向に突出する。図４も参照して、ころ保持部材５５は、外周面が外輪１のつば部１ａの内径よりも小径、且つ、内周面が保持器４の外径よりも大径で円弧状（本実施形態では、略半円状）に形成されている。そして、ころ保持部材５５は、着脱治具５０の中心軸Ｏ１を通る水平面よりも下方に位置する状態で、内径側に位置する円筒ころ３及び保持器４を保持する。
【００２４】
支持部材５８は、一端が支点５６ａを中心として治具本体５２に回動可能に取り付けられる回動バー５６と、回動バー５６の先端部に取り付けられ、円筒ころ３の端面を支持する爪部５７を有する。即ち、支持部材５８は、ころ保持部材５５と共に、着脱治具５０の中心軸Ｏ１を通る水平面よりも下方に位置する状態で、ころ保持部材５５に保持されたいずれかの円筒ころ３の端面と当接する（図５参照）。一方、支持部材５８は、ころ保持部材５５と共に、着脱治具５０の中心軸Ｏ１を通る水平面よりも上方に位置する状態で、円筒ころ３の端面と当接しない位置に回動する（図４参照）。
【００２５】
なお、支持部材５８は、爪部５７が少なくとも一つの円筒ころ３の端面と当接するように形成されればよく、複数の円筒ころ３の端面と当接するように形成されてもよい。また、本実施形態の支持部材５８は、爪部５７が円筒ころ３の端面と当接する構成としたが、保持器４の端面と当接するように構成されてもよい。
【００２６】
このようにして、複列円筒ころ軸受用着脱治具５０は、円筒ころ３及び保持器４を保持し、保持した円筒ころ３及び保持器４を外輪１に対して着脱する。以下、円筒ころ３及び保持器４の着脱方法について図４〜図６を用いて説明する。
【００２７】
まず、複列円筒ころ軸受用着脱治具５０を用いた複列円筒ころ軸受５の分解・取り外し方法について説明する。初めに、図示省略するが、内輪２が取り外された複列円筒ころ軸受５から、オイルシール２２及び第２のシールケース２１を含む密封装置２０を不図示の治具を用いて取り外し、これと同時に、オイルシール側の円筒ころ３及び保持器４（ころ保持器組立体８１）と、案内輪１４が分解される。なお、複列円筒ころ軸受５から取り外したオイルシール２２及び第２のシールケース２１は再使用せずに新しいものと交換される。
【００２８】
次に、図４に示すように、ラビリンスシール側の密封装置３０が取り付けられた外輪１と、ラビリンスシール側の円筒ころ３及び保持器４と、を有する外輪組立体７０をその中心軸Ｏ２が水平となるように配置する。このように内輪２が取り外されて、外輪組立体７０が横置きされた状態においては、中心軸Ｏ２を通る水平面より下方に位置する不図示の円筒ころ３は、外輪１のつば部１ａの内径よりも外径側に突出し、外輪１の軌道面と当接する一方、水平面より上方に位置する図４に示された円筒ころ３は、保持器４の引っ掛かり部４ｂによって保持され、外輪１のつば部１ａの内径よりも内径側に位置する。
【００２９】
この状態で、着脱治具５０は、ころ保持部材５５が該中心軸Ｏ１を通る水平面よりも上方にある状態で、オイルシール側からつば部１ａを越えて外輪１の所定の位置、即ち、ラビリンスシール側の外輪軌道面１ｂがある軸方向位置まで、外輪組立体７０の内部に挿入される。
【００３０】
次に、図５に示すように、複列円筒ころ軸受用着脱治具５０を、円筒ころ３、保持器４、及び外輪１と共に略１８０°回転させると、ころ保持部材５５は、該中心軸Ｏ１、Ｏ２を通る水平面よりも下方に位置し、該水平面よりも下方に位置する円筒ころ３がころ保持部材５５に当接する。また、支持部材５８は、自重により回動して、ころ保持部材５５と当接するいずれかの円筒ころ３の端面を支持する。一方、略１８０°回転した後に該水平面よりも上方に位置した円筒ころ３は、保持器４の引っ掛かり部４ｂによって保持される。これにより、着脱治具５０は、ころ保持部材５５によって、円筒ころ３及び保持器４を保持する。
【００３１】
また、この状態で、すべての円筒ころ３の外径円径が外輪１のつば部１ａの内径よりも小さくなっているので、ころ保持部材５５によって円筒ころ３及び保持器４を保持したまま着脱治具５０が外輪１内から抜き出される。
【００３２】
このようにして、ラビリンスシール側の密封装置３０を取り外すことなく、オイルシール側の密封装置２０を取り外すだけで、外輪１のつば部１ａを越えてオイルシール側から、ラビリンスシール側の複数の円筒ころ３及び保持器４を有するころ保持器組立体８０を分解することができる。
【００３３】
なお、複列円筒ころ軸受用着脱治具５０を用いた複列円筒ころ軸受の組立方法については、上述した分解・取り外し方法と、逆の工程を行えばよい。即ち、まず、密封装置２０のオイルシール２２のリップ部や、複数の円筒ころ３及び保持器４とを有するころ保持器組立体８０、８１にグリースを塗布しておく。
【００３４】
そして、着脱治具５０を、その中心軸Ｏ１が水平となるように配置した状態で、該中心軸Ｏ１を通る水平面よりも下方に位置するころ保持部材５５によって、円筒ころ３及び保持器４を保持する。また、支持部材５８は、ころ保持部材５５と当接するいずれかの円筒ころ３の端面を支持する。
【００３５】
次に、外輪１を、その中心軸Ｏ２が水平となるように配置した状態で、着脱治具５０に保持された円筒ころ３及び保持器４を、つば部１ａを越えて外輪１内の所定の位置、即ち、ラビリンスシール側の外輪軌道面１ｂがある軸方向位置まで挿入する。
【００３６】
さらに、ころ保持部材５５による円筒ころ３及び保持器４の保持、及び支持部材５８による円筒ころ３の端面の支持が解放されるように、円筒ころ３及び保持器４を保持する着脱治具５０を外輪１と共に略１８０°回転し、その後に、着脱治具５０を外輪１内から抜き取り、複数の円筒ころ３及び保持器４を有するころ保持器組立体８０を外輪１内に組み付ける。
【００３７】
その後、円筒ころ３の上部の外輪１のつば部１ａに対応する場所に案内輪１４を挿入する。さらに、ころ保持器組立体８１を外輪１内に挿入した後、オイルシール側の密封装置２０を外輪１に装着する。そして、内輪２を組み付けることで、複列円筒ころ軸受５の組み立てが完了する。
【００３８】
以上説明したように、本実施形態の複列円筒ころ軸受用着脱治具５０によれば、リング状の治具本体５２と、外輪１のつば部１ａの内径よりも小径、且つ、保持器４の外径よりも大径で円弧状に形成されて、治具本体５２に固定され、内径側に位置する円筒ころ３及び保持器４を保持するころ保持部材５５と、を備える。これにより、複数の円筒ころ３と保持器４とを一緒に外輪１に容易に組み付けることができるとともに、複数の円筒ころ３と保持器４とを一緒に外輪１から容易に取り外すことができ、複列円筒ころ軸受５のメンテナンスの作業性を向上することができる。
【００３９】
特に、ラビリンスシール部材３２を有する第１のシールケース３１と、オイルシール２２を有する第２のシールケース２１と、を備える複列円筒ころ軸受５において、第１のシールケース３１が取り付けられた状態で、複数の円筒ころ３と保持器４との組み付け、取り外しを行うことができるようになり、第１のシールケース３１を含むラビリンスシール部材３２の再利用が可能となり、部品コストを削減することができる。
【００４０】
また、複列円筒ころ軸受用着脱治具５０では、ころ保持部材５５は、略半円に形成されるので、中心軸Ｏ１を通る水平面より下方に位置するすべての円筒ころ３を確実に保持することができる。
【００４１】
さらに、複列円筒ころ軸受用着脱治具５０は、ころ保持部材５５よりも内径側で、治具本体５２に回動可能に取り付けられ、ころ保持部材５５に保持された円筒ころ３の端面を支持する支持部材５８をさらに備えるので、ころ保持器組立体８０を外輪１に挿入する際や、ころ保持器組立体８０を外輪１から抜き取る際に、ころ保持器組立体８０を確実に支持することができる。
なお、本発明では、ころ保持部材５５によってころ保持器組立体８０を保持し、支持部材５８によって円筒ころ３の端面を支持した状態で、外輪１への挿入や外輪１からの抜き取りが行われていたが、例えば、ころ保持部材５５を軸方向に長くしてころ保持器組立体８０を保持し、ころ保持器組立体８０の重さによって、外輪１への挿入や外輪１からの抜き取りが行われる場合には、支持部材５８を設けなくてもよい。
【００４２】
また、上記着脱治具５０を用いた複列円筒ころ軸受５の組立方法によれば、着脱治具５０を、その中心軸Ｏ１が水平となるように配置した状態で、該中心軸Ｏ１を通る水平面よりも下方に位置するころ保持部材５５によって、円筒ころ３及び保持器４を保持する工程と、外輪１を、その中心軸Ｏ２が水平となるように配置した状態で、着脱治具５０に保持された円筒ころ３及び保持器４を、つば部１ａを越えて外輪１内の所定の位置まで挿入する工程と、ころ保持部材５５による円筒ころ３及び保持器４の保持が解放されるように、円筒ころ３及び保持器４を保持する着脱治具５０を外輪１と共に略１８０°回転する工程と、着脱治具５０を外輪１内から抜き取り、円筒ころ３及び保持器４を外輪１内に組み付ける工程と、を含む。これにより、複数の円筒ころ３と保持器４とを一緒に外輪１に容易に組み付けることができ、複列円筒ころ軸受５のメンテナンスの作業性を向上することができる。
【００４３】
また、保持工程において、支持部材５８は、ころ保持部材５５と当接する円筒ころ３の端面を支持し、回転工程において、支持部材５８は、円筒ころ３の支持を解放するので、ころ保持器組立体８０を外輪１内に安定して挿入することができ、また、着脱治具５０を引き抜く際に、支持部材５８が円筒ころ３と干渉するのを防止することができる。
【００４４】
また、上記着脱治具５０を用いた複列円筒ころ軸受５の取り外し方法によれば、内輪２が取り外され、円筒ころ３及び保持器４が配設された外輪１を、その中心軸Ｏ２が水平となるように配置した状態で、着脱治具５０を、ころ保持部材５５が該中心軸Ｏ１を通る水平面よりも上方で外輪１の所定の位置に位置するように、外輪１の内部に挿入する工程と、着脱治具５０を、円筒ころ３、保持器４、及び外輪１と共に略１８０°回転し、該中心軸Ｏ１を通る水平面よりも下方に位置するころ保持部材５５によって、円筒ころ３及び保持器４を保持する工程と、ころ保持部材５５によって円筒ころ３及び保持器４を保持したまま着脱治具５０を外輪１内から抜き出す工程と、を含む。これにより、複数の円筒ころ３と保持器４とを一緒に外輪１から容易に取り外すことができ、複列円筒ころ軸受５のメンテナンスの作業性を向上することができる。
【００４５】
また、回転工程において、支持部材５８は、ころ保持部材５５と当接する円筒ころ３の端面を支持するので、ころ保持器組立体８０を確実に保持して着脱治具５０を外輪１内から抜き出すことができる。
【００４６】
以上、本発明の複列円筒ころ軸受用着脱治具及び該軸受の組立方法並びに取り外し方法について詳細に説明したが、本発明は、以上の例には限定されず、本発明の要旨を逸脱しない範囲において、各種の改良や変形を行ってもよいのはもちろんである。
【００４７】
なお、本実施形態において、中心軸Ｏ２を通る水平面よりも若干上方に位置する円筒ころ３が、径方向内側に十分に移動せず、着脱治具５０を挿入する際にころ保持部材５５が干渉してしまう可能性がある。このため、図７に示すように、ころ保持部材５５を半円よりも短い円弧状として、ころ保持部材５５の円周方向両側に、一対のテーパ部５９ａが周方向両側に設けられた先端部を有する引き寄せ部材５９を設けている。これにより、着脱治具５０が挿入されると、各引き寄せ部材５９の一対のテーパ部５９ａが隣り合う円筒ころ３の側面と接触し、外輪１のつば部１ａの内径よりも複数の円筒ころ３によって構成される外接円径が小さくなるように、複数の円筒ころ３を径方向内側に移動させることができる。
【符号の説明】
【００４８】
１          外輪
１ａ        つば部
２          内輪
３          円筒ころ
４          保持器
５          複列円筒ころ軸受
２０、３０  密封装置
２１        第２のシールケース
２２        オイルシール（接触シール部材）
３１        第１のシールケース
３２        ラビリンスシール部材
５０        複列円筒ころ軸受用着脱治具
５２        治具本体
５５        ころ保持部材
５６        回動バー
５７        爪部
５８        支持部材
【図１】
2015152025.tif 000003
【図２】
2015152025.tif 000004
【図３】
2015152025.tif 000005
【図４】
2015152025.tif 000006
【図５】
2015152025.tif 000007
【図６】
2015152025.tif 000008
【図７】
2015152025.tif 000009
【図８】
2015152025.tif 000010
【図９】
2015152025.tif 000011